(57)【要約】      （修正有）【課題】突然の大規模な気体の核汚染の抑制を成し遂げ、他の気体汚染事故に対しても応急処置できる懸吊式濾過吸収器を提供する。【解決手段】懸吊式濾過吸収器は、空に浮かぶ煙突３と、煙突を浮かせる気球５と、濾過吸収網４と、防雨傘７と、雨傘を浮かせる気球８と、アタッチメントと、を備えて互いに連接して組み立てられる。煙突を浮かせる気球５は、系統を事故発生現場の上空につるし上げ、空に浮かぶ煙突３に煙突効果が生じ、事故発生現場１０から排出される気体煙霧を濾過吸収網４に吸い込み、濾過吸収網４の濾過や吸着処理で気体煙霧の有害物質を除去し或いは減少させて、空に浮かぶ煙突３の上部の出口から浄化された気体を排出する。雨雪天気の条件では、雨傘を浮かせる気球８が防雨傘７を煙突３の出口の上空に吊るして、雨水や雪が濾過吸収網４に落ちるのを避け、濾過吸収網４の正常な使用状態を保障する。【選択図】図１
0003218864.tif 000002
【実用新案登録請求の範囲】
【請求項１】
空に浮かぶ煙突（３）と、煙突を浮かせる気球（５）と、濾過吸収網（４）と、防雨傘（７）と、雨傘を浮かせる気球（８）と、アタッチメントと、を備え、互いに連接して、懸吊式濾過吸収器が組み立てられる、
ことを特徴とする懸吊式濾過吸収器。
【請求項２】
前記空に浮かぶ煙突（３）が下に繋ぎ止める縄（１）と連接され、
前記空に浮かぶ煙突（３）の内部に、気流が通る道に沿って複数の前記濾過吸収網（４）が取り付けられ、
前記煙突を浮かせる気球（５）は、前記空に浮かぶ煙突（３）に連接して前記空に浮かぶ煙突（３）の外部に取り付けられ、
前記防雨傘（７）は上に繋ぎ止める縄（２）と連接され、
前記雨傘を浮かせる気球（８）は、前記防雨傘（７）を吊り上げて前記空に浮かぶ煙突（３）の出口の頂部に取り付けられ、
汚染物濃度の検測用センサー（９）は、前記空に浮かぶ煙突（３）の出口に取り付けられ、
前記下に繋ぎ止める縄（１）と上に繋ぎ止める縄（２）とが橋絡ロープ（６）により連接されている、
ことを特徴とする請求項１に記載の懸吊式濾過吸収器。
【請求項３】
前記空に浮かぶ煙突（３）に生じる吸入圧力が、使用温度の条件下で前記濾過吸収網（４）の抵抗力より大きく、下部の気体汚染物を前記濾過吸収網（４）に通り抜けさせる、
ことを特徴とする請求項１又は２に記載の懸吊式濾過吸収器。
【請求項４】
前記空に浮かぶ煙突（３）の内壁にエアロゲルの断熱層を設置することで、内部の気体の熱量の損失を抑制する、
ことを特徴とする請求項１又は２に記載の懸吊式濾過吸収器。
【請求項５】
環形構造の前記煙突を浮かせる気球（５）、あるいは、前記空に浮かぶ煙突（３）の外周に環形状に配置される複数の前記煙突を浮かせる気球（５）が、前記空に浮かぶ煙突（３）に水平方向の外にむかう引く力を付与して、煙突の収縮変形を抑制し、煙突の形状を保持し、
或いは、前記煙突を浮かせる気球（５）と前記空に浮かぶ煙突（３）とは一体的に作製され、全体に長い管状の環形状の気球であり、中軸に沿って環形状の内壁は煙突の形状である、
ことを特徴とする請求項１又は２に記載の懸吊式濾過吸収器。
【請求項６】
前記空に浮かぶ煙突（３）の底部に設けられた気体の入口の面積は、事故発生現場の水平の投影面積を覆う、
ことを特徴とする請求項１又は２に記載の懸吊式濾過吸収器。
【請求項７】
前記防雨傘（７）が、前記空に浮かぶ煙突（３）の出口と前記煙突を浮かせる気球（５）との水平の投影面積を覆い、雨水が前記濾過吸収網（４）に落ちるのを防止し、或いは風が吹き込むのを防止し、雨水によって前記濾過吸収網（４）の濾過吸着能力が低下するのを避ける、
ことを特徴とする請求項１又は２に記載の懸吊式濾過吸収器。
【請求項８】
前記煙突を浮かせる気球（５）に生じる浮力は、前記空に浮かぶ煙突（３）及びアタッチメントの総重量より大きく、前記空に浮かぶ煙突（３）を事故発生現場の上空に吊るす、
ことを特徴とする請求項１又は２に記載の懸吊式濾過吸収器。
【請求項９】
前記雨傘を浮かせる気球（８）に生じる浮力は、前記防雨傘（７）及びアタッチメントの総重量より大きく、前記防雨傘（７）を前記空に浮かぶ煙突（３）の出口の上空に吊るすことで、雨雪天気の条件下で、前記雨傘を浮かせる気球（８）が前記防雨傘（７）を煙突の出口の上空に吊るして雨水と雪が前記濾過吸収網（４）に落ちるのを避け、前記濾過吸収網（４）の正常な使用状態を保障する、
ことを特徴とする請求項１又は２に記載の懸吊式濾過吸収器。
【考案の詳細な説明】
【技術分野】
【０００１】
本考案は空気汚染の応急処置及び核安全の技術分野に属し、懸吊式濾過吸収器に関する。
【背景技術】
【０００２】
原子力発電所で突然の事故が発生すると、固体と液体と気体の三態の汚染物が排出される。その中で、固体と液体の汚染物は、排出したところからの移動距離は短く、影響範囲が広がらないため、現有の技術手段で抑制或いは減少させることができる。
【０００３】
しかし、気体の汚染物は、排出されたところから拡散によって移動する距離は長く、汚染範囲が広がり、周辺及び波及した範囲の環境に対して制御することができない影響を引き起こす。この種の空気の汚染の災難事故に対して、国内外には有効な防御技術と処理技術とがなく、事故発生現場への救急しか行われなく、漏れ続ける汚染気体の拡散を阻止することができない。
【０００４】
今までは、重大な原発事故における主要な危害は、排出され拡散された気体による汚染である。例えば、旧ソ連のチェルノブイリの原子力発電所の事故や、日本の福島の原子力発電所の事故、この二件の事故で核汚染された煙霧の拡散が、人間と環境に対して危害をもたらし、大衆の恐怖心理を引き起こした。
【考案の概要】
【考案が解決しようとする課題】
【０００５】
本考案は、懸吊式濾過吸収器が、上昇する汚染気体を阻止し且つ浄化する解決方案を提供し、突然の大規模な気体の核汚染の抑制を成し遂げ、ほかの気体汚染事故に対しても応急処置できる。
【課題を解決するための手段】
【０００６】
本考案に解決しようとする課題は、懸吊式濾過吸収器を提供し、上昇する核汚染の煙霧を阻止し、捕集し、濾過吸着処理を行って上昇する気流から大部分の核汚染成分を除去し、気体汚染物の拡散を大きく減少させ、核汚染気体による周辺及び波及された区域に住む人の体への悪影響と環境汚染を避けて或いは軽減することである。
【０００７】
上記課題を解決するために、本考案に採用された技術方案は、気球の浮力で本系統を事故発生現場の上空につるし上げ、空に浮かぶ煙突の煙突効果により生じる吸入圧力で気体煙霧を濾過吸収網に吸い込み、濾過吸収網の濾過や吸着処理で気体煙霧の有害物質を除去して或いは減少させることである。
【０００８】
前記懸吊式濾過吸収器には、空に浮かぶ煙突の内部に、複数の濾過吸収網を取り付け、煙突を浮かせる気球が空に浮かぶ煙突と連接して空に浮かぶ煙突の外部に取り付けられ、雨傘を浮かせる気球が防雨傘を吊り上げて空に浮かぶ煙突の出口の頂部に取り付けられ、汚染物濃度の検測用センサーが空に浮かぶ煙突の出口に取り付けられる。空に浮かぶ煙突は、下に繋ぎ止める縄と連接して位置が定められ、防雨傘は、上に繋ぎ止める縄と連接して位置が定められ、橋絡ロープが下に繋ぎ止める縄と上に繋ぎ止める縄と連接して、空に浮かぶ煙突と防雨傘を一体化する。
【０００９】
前記空に浮かぶ煙突の長さは、生じる吸入圧力が前記濾過吸収網４の抵抗力より大きくなる適切な長さである。
【００１０】
前記空に浮かぶ煙突の内壁には、エーロゲルの断熱層を設置する。
【００１１】
前記煙突を浮かせる気球は、環形構造であるか、あるいは複数の浮かせる気球が空に浮かぶ煙突の外周に環形状で設置され、或いは煙突を浮かせる気球と空に浮かぶ煙突とは一体的に環形状に作製され、中軸に沿って環形状の内壁は煙突の形状である。
【００１２】
前記空に浮かぶ煙突の底部に設けられた空気の入口の面積は、事故発生現場の水平の投影面積を覆う。
【００１３】
前記防雨傘は、空に浮かぶ煙突の出口と煙突を浮かせる気球との水平の投影面積を覆う。
【００１４】
前記煙突を浮かせる気球に生じる浮力は、空に浮かぶ煙突と濾過吸収網とアタッチメントとの総重量より大きい。
【００１５】
雨傘を浮かせる気球に生じる浮力は、防雨傘とアタッチメントとの総重量より大きい。
【００１６】
優先的な方案として、空に浮かぶ煙突の内部に、複数の濾過吸収網を取り付け、煙突を浮かせる気球が空に浮かぶ煙突と連接して空に浮かぶ煙突の外部に取り付けられ、雨傘を浮かせる気球が防雨傘を吊り上げて空に浮かぶ煙突の出口の頂部に取り付けられ、汚染物濃度の検測用センサーが空に浮かぶ煙突の出口に取り付けられる。空に浮かぶ煙突は、下に繋ぎ止める縄と連接して位置が定められ、防雨傘は、上に繋ぎ止める縄と連接して位置が定められ、橋絡ロープが下に繋ぎ止める縄と上に繋ぎ止める縄と連接して、空に浮かぶ煙突と防雨傘を一体化する。
【００１７】
本系統は、構造が簡単であり、移転や応急の展開ができ、煙突を浮かせる気球と雨傘を浮かせる気球によって付与される上方への引く力により、空気汚染処理系統を汚染発生現場の上空に吊し上げ、事故現場から漏れた気体汚染物を阻止して処理する。
【００１８】
優先的な方案として、前記空に浮かぶ煙突に生じる吸入圧力が、使用温度の条件下で濾過吸収網の抵抗力より大きく、下部の気体汚染物を濾過吸収網に順調に通り抜けさせる。
【００１９】
優先的な方案として、上記空に浮かぶ煙突の内壁にエアロゲルの断熱層を設置する。煙突内部の気体の熱量が損失すると、気体の密度が大きくなり、気流の上方への動力が下がって、煙突効果が低下する。エアロゲルの断熱層は、煙突内部の気体の熱量の損失を避けて或いは減少して、煙突効果を保持する。更に、エアロゲルの断熱層の密度は低く、エアロゲルによる断熱層の重量は抑制される。
【００２０】
優先的な方案として、気流が煙突の内部を上昇する時、その動圧が外部の気圧より小さく、柔軟な煙突の内壁がその圧力差で内部へ収縮して変形し、そして煙突効果を低下させる。その現象を避けるため、煙突の周囲を覆う環形構造が煙突を吊し上げて或いは複数の気球を煙突の周囲に環形状で設置して、煙突に水平方向の外にむかう引く力を付与して煙突の収縮変形を避け、煙突の形状を保持する。或いは煙突を浮かせる気球と空に浮かぶ煙突とが一体的に作製され、中軸に沿って環形状の内壁は煙突の形状である。
【００２１】
優先的な方案として、空に浮かぶ煙突の底部に設けられた空気の入口の面積は、事故発生現場の水平の投影面積を覆い、最大限で下の気体煙霧を集め、汚染空気の拡散を阻止する。
【００２２】
優先的な方案として、防雨傘は、空に浮かぶ煙突の出口と煙突を浮かせる気球との水平の投影面積を覆い、雨水が濾過吸収網に落ちるのを防止し、或いは風が吹き込むのを防止し、雨水によって濾過吸収網の濾過吸着能力が低下するのを避ける。
【００２３】
優先的な方案として、煙突を浮かせる気球に生じる浮力は、空に浮かぶ煙突と濾過吸収網とアタッチメントとの総重量より大きく、空に浮かぶ煙突を事故発生現場の上空に吊るして気体煙霧を効果的に集める。
【００２４】
優先的な方案として、雨傘を浮かせる気球に生じる浮力は、防雨傘とアタッチメントとの総重量より大きく、防雨傘を空に浮かぶ煙突の出口の上空に吊るすことで、雨雪天気の条件では、防雨傘を煙突の出口の上空に吊るして雨水や雪が濾過吸収網に落ちるのを避け、濾過吸収網の正常な使用状態を保障する。
【考案の効果】
【００２５】
懸吊式濾過吸収器は、空に浮かぶ煙突と、煙突を浮かせる気球と、濾過吸収網と、防雨傘と、雨傘を浮かせる気球と、アタッチメントとを連接して組み立てる。空に浮かぶ煙突は、煙突を浮かせる気球に事故発生現場の上空につるし上げられ、煙突効果により事故発生現場から排出される気体煙霧を濾過吸収網に吸い込み、濾過吸収網の濾過や吸着処理で気体煙霧の有害物質を除去し或いは減少させて空に浮かぶ煙突の上部の出口から浄化した気体を排出する。雨雪天気の条件では、雨傘を浮かせる気球が防雨傘を煙突の出口の上空に吊るして雨水や雪が濾過吸収網に落ちるのを避け、濾過吸収網の正常な使用状態を保障する。本考案は、原発事故で漏れた気体汚染物の処理ができないという問題を解決して、構造が簡単であり、移転や応急の展開や緊急の阻止ができ、気体核汚染物の浄化ができるという利点を備えている。また、気体汚染物の拡散を大きく減少させ、核汚染気体から周辺及び波及された区域に住む人の体への悪影響と環境汚染を避けて或いは軽減する。
【図面の簡単な説明】
【００２６】
【図１】本考案に係る懸吊式濾過吸収器の概略図である。
【考案を実施するための形態】
【００２７】
以下には、実施例と図面を参照しながら、本考案を更に説明する。
【００２８】
図１に示すように、懸吊式濾過吸収器は、空に浮かぶ煙突３と、煙突を浮かせる気球５と、濾過吸収網４と、防雨傘７と、雨傘を浮かせる気球８と、アタッチメントを備えて互いに連接して組み立てられる。空に浮かぶ煙突３は、煙突を浮かせる気球５に事故発生現場の上空につるし上げられる。濾過吸収網４は、空に浮かぶ煙突３で生じる煙突効果により、上昇する汚染気体の有害物質を濾過して吸い込み、汚染された気体の拡散を大きく減少させ、人体への悪影響と環境汚染を避けて或いは軽減する。雨や雪の天気では、雨傘を浮かせる気球が防雨傘を煙突の出口の上空に吊るして、雨水や雪が濾過吸収網に落ちるのを抑制し、濾過吸収網の正常な使用状態を保障することができる。
【００２９】
優先的な方案として、空に浮かぶ煙突３の内部に、気流の流れに沿って複数の濾過吸収網４を取り付ける。環形の煙突を浮かせる気球５は、空に浮かぶ煙突３と連接して、空に浮かぶ煙突３の外周に取り付けられる。雨傘を浮かせる気球８は、防雨傘７を吊り上げて空に浮かぶ煙突３の出口の頂部に取り付けられる。汚染物濃度の検測用センサー９は、空に浮かぶ煙突３の出口に取り付けられる。空に浮かぶ煙突３は、下に繋ぎ止める縄１と連接する。防雨傘７は、上に繋ぎ止める縄２と連接する。下に繋ぎ止める縄１と上に繋ぎ止める縄２の上部は橋絡ロープ６で連接される。下に繋ぎ止める縄１の下部と上に繋ぎ止める縄２の下部は、それぞれ繋ぎくい１１で固定される。雨傘を浮かせる気球８と環形の煙突を浮かせる気球５とから付与された上昇力は、大気汚染処理系統を汚染発生現場の上空に吊し上げて、事故現場で上昇する気体汚染物の拡散を阻止して処理する。
【００３０】
優先的な方案として、空に浮かぶ煙突３に生じる吸入圧力が、使用温度の条件下で濾過吸収網４の抵抗力より大きく、下部の気体汚染物を濾過吸収網４に順調に通り抜けさせることができる。
【００３１】
優先的な方案として、空に浮かぶ煙突３の内壁にエアロゲルの断熱層を設置して、煙突３内部の気体の熱量の損失を避けて、煙突効果を保持する。エアロゲルによる断熱層の密度は低く、エアロゲルによる断熱層の重量は抑制され、煙突を浮かせる気球５に作用する荷重は減少する。
【００３２】
優先的な方案として、煙突を浮かせる気球５は、環形構造であってあるいは複数の気球が煙突の外周に環形状に設置され、空に浮かぶ煙突３に水平方向の外にむかう引く力を作用させて、煙突の収縮変形を抑制して、煙突の形状を保持する。或いは煙突を浮かせる気球５と空に浮かぶ煙突３とは一体的に作製され、全体に長い管状の環形状の気球であり、中軸に沿って環形状の内壁は煙突の形状である。
【００３３】
優先的な方案として、空に浮かぶ煙突３の底部に設けられた空気の入口の面積は、事故発生現場の水平の投影面積を覆う。事故発生現場から漏れる気体煙霧を、直接的に高性能で吸い込み、気体汚染物の拡散を抑制する。
【００３４】
優先的な方案として、防雨傘７は、空に浮かぶ煙突３の出口と煙突を浮かせる気球５との水平の投影面積を覆い、雨水が濾過吸収網４に落ちるのを防止し、或いは風が吹き込むのを防止する。これにより、雨水によって濾過吸収網４の濾過吸着能力が低下するのを避けることができる。
【００３５】
優先的な方案として、煙突を浮かせる気球５に生じる浮力は、空に浮かぶ煙突３とアタッチメントとの総重量より大きい。これにより、空に浮かぶ煙突３を吊るして、事故発生現場の上空に下に繋ぎ止める縄１で位置を決めることができる。
【００３６】
優先的な方案として、雨傘を浮かせる気球に生じる浮力は、防雨傘とアタッチメントとの総重量より大きい。これにより、防雨傘７を空に浮かぶ煙突３の出口の上空に上に繋ぎ止める縄２で位置を決めることができる。
【００３７】
この方案の原理は、原子力発電所などで事故が発生し、有害な気体の排出と拡散とが生じる時に、本懸吊式濾過吸収器を展開して事故発生現場の上空に設ける。そして、空に浮かぶ煙突に生じる煙突効果により、汚染気体を吸い込んで集めて、濾過吸収網による濾過と吸着との浄化処理を経て、大気に排出する。これにより、気体汚染物の拡散が大きく抑制される。雨や雪の天気の場合、防雨傘は雨や雪が濾過吸収網に落ちるのを抑制し、濾過吸収網の正常な使用状態を保障する。
【００３８】
上記実施例は、本考案の優先的な方案に限って、本考案に対して限定されるものと見なすことはできず、本出願には実施例と実施例中の特定事項が矛盾しない場合に、互いに任意の組合せができる。本考案は、請求事項に記載された技術方案中の特定事項の類似置換を含めて技術方案を保護範囲とする。即ち、この範囲に類似置換とする改進も、本考案の保護範囲に入れる。
【符号の説明】
【００３９】
１    下に繋ぎ止める縄
２    上に繋ぎ止める縄
３    空に浮かぶ煙突
４    濾過吸収網
５    煙突を浮かせる気球
６    橋絡ロープ
７    防雨傘
８    雨傘を浮かせる気球
９    汚染物濃度の検測用センサー
１０  事故発生現場
１１  繋ぎくい
【図１】
0003218864.tif 000003
【手続補正書】
【提出日】平成30年9月10日(2018.9.10)
【手続補正１】
【補正対象書類名】実用新案登録請求の範囲
【補正対象項目名】全文
【補正方法】変更
【補正の内容】
【実用新案登録請求の範囲】
【請求項１】
空に浮かぶ煙突（３）と、前記空に浮かぶ煙突（３）を浮かせる気球（５）と、前記空に浮かぶ煙突（３）の内部に取り付けられた濾過吸収網（４）と、前記空に浮かぶ煙突（３）を繋ぎ止める第１のアタッチメントと、前記空に浮かぶ煙突（３）の上方に配置された防雨傘（７）と、前記防雨傘（７）を浮かせる気球（８）と、前記防雨傘（７）を繋ぎ止める第２のアタッチメントと、を備える、 
ことを特徴とする懸吊式濾過吸収器。
【請求項２】
前記第１のアタッチメントは、前記空に浮かぶ煙突（３）と連接され、前記空に浮かぶ煙突（３）を繋ぎ止める縄（１）であり、
前記空に浮かぶ煙突（３）の内部に、気流が通る道に沿って複数の前記濾過吸収網（４）が取り付けられ、
前記空に浮かぶ煙突（３）を浮かせる気球（５）は、前記空に浮かぶ煙突（３）に連接して前記空に浮かぶ煙突（３）の外部に取り付けられ、
前記第２のアタッチメントは、前記放雨傘（７）と連結され、前記防雨傘（７）を繋ぎ止める縄（２）であり、
前記防雨傘（７）を浮かせる気球（８）は、前記防雨傘（７）を吊り上げて前記空に浮かぶ煙突（３）の出口の頂部に取り付けられ、
汚染物濃度の検測用センサー（９）は、前記空に浮かぶ煙突（３）の出口に取り付けられ、
前記空に浮かぶ煙突（３）を繋ぎ止める縄（１）と前記防雨傘（７）を繋ぎ止める縄（２）とが橋絡ロープ（６）により連接されている、
ことを特徴とする請求項１に記載の懸吊式濾過吸収器。
【請求項３】
前記空に浮かぶ煙突（３）に生じる吸入圧力が、使用温度の条件下で前記濾過吸収網（４）の抵抗力より大きく、下部の気体汚染物を前記濾過吸収網（４）に通り抜けさせる、
ことを特徴とする請求項１又は２に記載の懸吊式濾過吸収器。
【請求項４】
前記空に浮かぶ煙突（３）の内壁にエアロゲルの断熱層を設置することで、内部の気体の熱量の損失を抑制する、
ことを特徴とする請求項１又は２に記載の懸吊式濾過吸収器。
【請求項５】
環形構造の前記空に浮かぶ煙突（３）を浮かせる気球（５）、あるいは、前記空に浮かぶ煙突（３）の外周に環形状に配置される複数の前記空に浮かぶ煙突（３）を浮かせる気球（５）が、前記空に浮かぶ煙突（３）に水平方向の外にむかう引く力を付与して、前記空に浮かぶ煙突（３）の収縮変形を抑制し、前記空に浮かぶ煙突（３）の形状を保持し、
或いは、前記空に浮かぶ煙突（３）を浮かせる気球（５）と前記空に浮かぶ煙突（３）とは一体的に作製され、全体に長い管状の環形状の気球であり、中軸に沿って環形状の内壁は煙突の形状である、
ことを特徴とする請求項１又は２に記載の懸吊式濾過吸収器。
【請求項６】
前記空に浮かぶ煙突（３）の底部に設けられた気体の入口の面積は、事故発生現場の水平の投影面積を覆う、
ことを特徴とする請求項１又は２に記載の懸吊式濾過吸収器。
【請求項７】
前記防雨傘（７）が、前記空に浮かぶ煙突（３）の出口と前記空に浮かぶ煙突（３）を浮かせる気球（５）との水平の投影面積を覆い、雨水が前記濾過吸収網（４）に落ちるのを防止し、或いは風が吹き込むのを防止し、雨水によって前記濾過吸収網（４）の濾過吸着能力が低下するのを避ける、
ことを特徴とする請求項１又は２に記載の懸吊式濾過吸収器。
【請求項８】
前記空に浮かぶ煙突（３）を浮かせる気球（５）に生じる浮力は、前記空に浮かぶ煙突（３）及び前記第１のアタッチメントの総重量より大きく、前記空に浮かぶ煙突（３）を事故発生現場の上空に吊るす、
ことを特徴とする請求項１又は２に記載の懸吊式濾過吸収器。
【請求項９】
前記防雨傘（７）を浮かせる気球（８）に生じる浮力は、前記防雨傘（７）及び前記第２のアタッチメントの総重量より大きく、前記防雨傘（７）を前記空に浮かぶ煙突（３）の出口の上空に吊るすことで、雨雪天気の条件下で、前記防雨傘（７）を浮かせる気球（８）が前記防雨傘（７）を前記空に浮かぶ煙突（３）の出口の上空に吊るして雨水と雪が前記濾過吸収網（４）に落ちるのを避け、前記濾過吸収網（４）の正常な使用状態を保障する、
ことを特徴とする請求項１又は２に記載の懸吊式濾過吸収器。